(57)【要約】【課題】水の流れに頼ることなく、添加成分を効率よく水に混合させる。【解決手段】添加口１３を介して通水路１２に連通される添加室１４を設け、その添加室１４に添加剤１１と発泡剤１５とを収納する。添加室１４は、上端の投入口１４ｂを着脱自在となった蓋１４ｃで密閉する。添加室１４に添加剤１１と発泡剤１５とを投入することにより、添加室１４内の水に接触して添加剤１１が溶解されるとともに、発泡剤１５が発泡し、その発泡した圧力で、添加室１４内で溶解した添加剤１１の成分を添加口１３から通水路１２に押し出す。【選択図】図１
2010274153.tif 000002
【特許請求の範囲】
【請求項１】
少なくとも１つの添加口を介して通水路に連通し、水処理用の添加剤と発泡剤とを収納する添加室を備え、発泡剤が添加室内で発泡した圧力で、前記添加剤の成分を前記添加口から前記通水路に押し出すことを特徴とする水処理用添加剤の添加装置。
【請求項２】
少なくとも１つの添加口を介して通水路に連通し、水処理用の添加剤を収納する添加室と、当該添加室に連通し、発泡剤を収納する発泡室と、を備え、発泡剤が発泡した圧力を前記発泡室から前記添加室に導入し、導入した圧力で前記添加剤の成分を前記添加口から前記通水路に押し出すことを特徴とする水処理用添加剤の添加装置。
【請求項３】
前記発泡剤の収納部に、前記通水路に連通して当該通水路の水を導入する取水通路を設けたことを特徴とする請求項１または請求項２に記載の水処理用添加剤の添加装置。
【請求項４】
前記添加口に、前記添加室と前記通水路との間を開閉制御する第１の開閉制御弁を設けたことを特徴とする請求項１〜３のうちいずれか１項に記載の水処理用添加剤の添加装置。
【請求項５】
前記添加口に、前記通水路の水流によって負圧を発生する負圧発生部を設けるとともに、前記添加室と前記発泡室との連通部に、これら添加室と発泡室との間を開閉制御する第２の開閉制御弁を設けたことを特徴とする請求項２〜４のうちいずれか１項に記載の水処理用添加剤の添加装置。
【請求項６】
前記発泡剤の収納部に、圧力検知部を設けたことを特徴とする請求項１〜５のうちいずれか１項に記載の水処理用添加剤の添加装置。
【請求項７】
少なくとも１つの添加口を介して通水路に連通し、水処理用の添加成分と発泡成分とを一体に成形した発泡性添加剤を収納する添加室を備え、発泡性添加剤の発泡成分が添加室内で発泡した圧力で、当該添加室内で溶解した発泡性添加剤の添加成分を前記添加口から前記通水路に押し出すことを特徴とする水処理用添加剤の添加装置。
【請求項８】
前記請求項１〜７のうちいずれか１項に記載の添加装置を備えたことを特徴とする水処理装置。
【発明の詳細な説明】
【技術分野】
【０００１】
本発明は、水処理用添加剤の添加装置およびその添加装置を備えた水処理装置に関する。
【背景技術】
【０００２】
従来、水処理用の添加成分を水に混合させる構造として、取水配管に接続した注入ノズルの上流側および下流側に、多孔板からなるオリフィスを設け、このオリフィスで発生した渦流により注入ノズルから添加した成分を水と混合攪拌するようにしたものが知られている（たとえば、特許文献１参照）。
【先行技術文献】
【特許文献】
【０００３】
【特許文献１】特開２００８−２８４４５２号公報
【発明の概要】
【発明が解決しようとする課題】
【０００４】
しかしながら、かかる従来の添加成分の添加装置は、取水配管内の水がオリフィスを通過することにより発生する渦流によって添加成分を混合攪拌する構造であるため、添加成分の攪拌を専ら取水配管内の流速に頼らざるを得ず、流速が低下した場合には十分な攪拌効果が得られなくなってしまうという問題があった。
【０００５】
そこで、本発明は、添加成分を効率よく水に混合させることのできる水処理用添加剤の添加装置および水処理装置を得ることを目的とする。
【課題を解決するための手段】
【０００６】
請求項１の発明にあっては、少なくとも１つの添加口を介して通水路に連通し、水処理用の添加剤と発泡剤とを収納する添加室を備え、発泡剤が添加室内で発泡した圧力で、前記添加剤の成分を前記添加口から前記通水路に押し出すことを特徴とする。
【０００７】
請求項２の発明にあっては、少なくとも１つの添加口を介して通水路に連通し、水処理用の添加剤を収納する添加室と、当該添加室に連通し、発泡剤を収納する発泡室と、を備え、発泡剤が発泡した圧力を前記発泡室から前記添加室に導入し、その導入した圧力で前記添加剤の成分を前記添加口から前記通水路に押し出すことを特徴とする。
【０００８】
請求項３の発明にあっては、請求項１または請求項２に記載の水処理用添加剤の添加装置において、前記発泡剤の収納部に、前記通水路に連通して当該通水路の水を導入する取水通路を設けたことを特徴とする。
【０００９】
請求項４の発明にあっては、請求項１〜３のうちいずれか１項に記載の水処理用添加剤の添加装置において、前記添加口に、前記添加室と前記通水路との間を開閉制御する第１の開閉制御弁を設けたことを特徴とする。
【００１０】
請求項５の発明にあっては、請求項２〜４のうちいずれか１項に記載の水処理用添加剤の添加装置において、前記添加口に、前記通水路の水流によって負圧を発生する負圧発生部を設けるとともに、前記添加室と前記発泡室との連通部に、これら添加室と発泡室との間を開閉制御する第２の開閉制御弁を設けたことを特徴とする。
【００１１】
請求項６の発明にあっては、請求項１〜５のうちいずれか１項に記載の水処理用添加剤の添加装置において、前記発泡剤の収納部に、圧力検知部を設けたことを特徴とする。
【００１２】
請求項７の発明にかかる水処理用添加剤の添加装置にあっては、少なくとも１つの添加口を介して通水路に連通し、水処理用の添加成分と発泡成分とを一体に成形した発泡性添加剤を収納する添加室を備え、発泡性添加剤の発泡成分が添加室内で発泡した圧力で、当該添加室内で溶解した発泡性添加剤の添加成分を前記添加口から前記通水路に押し出すことを特徴とする。
【００１３】
請求項８の発明にあっては、請求項１〜７のうちいずれか１項に記載の添加装置を備えた水処理装置である。
【発明の効果】
【００１４】
請求項１の発明によれば、添加口を介して通水路に連通した添加室に、添加剤と発泡剤とを投入することにより、発泡剤が添加室内で発泡した圧力で、添加剤の成分を添加口から通水路に押し出すことができる。これにより、通水路の水の流れに頼ることなく、添加成分を効率よく通水路の水に混合させることができる。
【００１５】
請求項２の発明によれば、添加口を介して通水路に連通した添加室に添加剤を投入し、この添加室に連通した発泡室に発泡剤を投入することにより、発泡剤が発泡した圧力を発泡室から添加室に導入し、その導入した圧力で添加剤の成分を添加口から通水路に押し出すことができる。これにより、通水路の水の流れに頼ることなく、添加成分を効率よく通水路の水に混合させることができる。
【００１６】
請求項３の発明によれば、発泡剤の収納部に取水通路を設けたので、取水通路を介して通水路の水を前記収納部に積極的に導入することができる。これにより、発泡剤の発泡を促進して添加剤の成分を通水路に押し出す圧力をより高めることができる。
【００１７】
請求項４の発明によれば、添加口に第１の開閉制御弁を設け、添加室と通水路との間を開閉制御できるようにしたので、第１の開閉制御弁を操作することにより、必要なときだけ添加剤を通水路に添加でき、また、必要に応じて添加量を制御することができる。
【００１８】
請求項５の発明によれば、添加口に負圧発生部を設けたため、通水路の水流によって添加口内に発生させた負圧で添加室内の添加成分を通水路内に吸引できるようになる。したがって、通水路の水流が十分にあるときは、添加室と発泡室との間に設けた開閉制御弁を閉弁したとしても、負圧発生部によって添加成分を効率よく通水路の水に混合させることができる。その結果、発泡室内の発泡剤の消耗を抑制することができる。
【００１９】
請求項６の発明によれば、発泡剤の収納部に圧力検知部を設けたので、発泡剤の消耗を圧力検知部によって検出することができる。これにより、発泡剤を追加するタイミングを逃すことなく、常に添加剤の成分を通水路に安定して供給できるようになる。
【００２０】
請求項７の発明によれば、添加口を介して通水路に連通した添加室に、水処理用の添加成分と発泡成分とを一体に成形した発泡性添加剤を投入することにより、発泡成分が添加室内で発泡した圧力で、添加室内で溶解した添加成分を添加口から通水路に押し出すことができる。これにより、通水路の水の流れに頼ることなく、添加成分を効率よく通水路の水に混合させることができる。このとき、添加室に投入される発泡性添加剤は、添加成分と発泡成分とを一体に成形したものであるため、添加成分と発泡成分とがほぼ同期して消耗される。そのため、発泡成分の消耗を検知することで添加成分の消耗を簡単に検出することができ、発泡性添加剤を滞りなく追加することができるようになる。
【００２１】
請求項８の発明によれば、添加成分を効率よく水に混合させることのできる水処理装置を得ることができる。
【図面の簡単な説明】
【００２２】
【図１】図１は、本発明の第１実施形態にかかる添加装置を備えた水処理装置の模式的な断面図である。
【図２】図２は、本発明の第２実施形態にかかる添加装置を備えた水処理装置の模式的な断面図である。
【図３】図３は、本発明の第３実施形態にかかる添加装置を備えた水処理装置の模式的な断面図である。
【図４】図４は、本発明の第３実施形態の変形例を示す添加装置を備えた水処理装置の模式的な断面図である。
【図５】図５は、本発明の第４実施形態にかかる添加装置を備えた水処理装置の模式的な断面図である。
【図６】図６は、本発明の第４実施形態の変形例を示す添加装置を備えた水処理装置の模式的な断面図である。
【図７】図７は、本発明の第５実施形態にかかる添加装置を備えた水処理装置の模式的な断面図である。
【図８】図８は、本発明の第６実施形態にかかる添加装置を備えた水処理装置の模式的な断面図である。
【図９】図９は、本発明の第６実施形態の変形例を示す添加装置を備えた水処理装置の模式的な断面図である。
【図１０】図１０は、本発明の第７実施形態にかかる添加装置を備えた水処理装置の模式的な断面図である。
【発明を実施するための形態】
【００２３】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２４】
（第１実施形態）図１は、本発明にかかる水処理用添加剤の添加装置および水処理装置の第１実施形態を示している。
【００２５】
本実施形態にかかる添加装置１０は、水処理用添加剤（以下、単に添加剤と称する）１１の添加成分を、飲用しようとする水に混合して活水化するものであり、水処理装置１は添加装置１０を備えて活水を製造する装置として提供される。この水処理装置１は、内部が通水路１２となる配管２を備えており、その配管２に添加装置１０を取り付けることで構成されている。
【００２６】
添加装置１０は、少なくとも１つの添加口１３を介して通水路１２に連通される添加室１４が設けられており、添加室１４には、上述した添加剤１１と、発泡剤１５と、が収納されている。
【００２７】
添加室１４は、下端が底部１４ａで閉止される有底筒状をなしており、上端の投入口１４ｂから添加剤１１および発泡剤１５が投入される。投入口１４ｂは、着脱自在となった蓋１４ｃによって密閉されている。
【００２８】
添加口１３は、添加室１４の底部１４ａの近傍に形成した開口１４ｄと、配管２に形成した開口２ａと、を連通する管状に形成されており、添加口１３から通水路１２の水が添加室１４内に導入されて添加剤１１および発泡剤１５を浸漬するとともに、添加室１４内で溶解した添加剤１１の添加成分が添加口１３を介して通水路１２に供給されるようになっている。
【００２９】
添加剤１１は、身体にとって有益なカルシウムやマグネシウムおよびナトリウムなどのミネラルを添加成分として含有し、固形状に成形することで形成されており、添加剤１１が水に接触することにより添加成分が溶解するようになっている。
【００３０】
発泡剤１５は、有機酸（例えば、クエン酸）と、炭酸塩（例えば、炭酸水素ナトリウム）と、を配合して固形状に成形されており、発泡剤１５が水に接触することにより発泡するようになっている。
【００３１】
そして、添加室１４に添加剤１１と発泡剤１５とを投入することにより、それらが添加室１４内の水に接触し、添加剤１１が溶解されるとともに発泡剤１５が溶解しつつ発泡し、発泡した圧力で、添加室１４内で溶解した添加剤１１の成分が添加口１３から通水路１２に押し出されるようになっている。
【００３２】
以上の本実施形態によれば、添加室１４に添加剤１１と発泡剤１５とを投入することにより、発泡剤１５が添加室１４内で発泡し、その圧力で添加室１４内で溶解した添加剤１１の成分を添加口１３から通水路１２に押し出すことができる。すなわち、通水路１２の水の流れに頼ることなく、添加成分を効率よく通水路１２の水に混合させることができるようになる。
【００３３】
また、本実施形態の水処理装置１は、配管２に添加装置１０を設けることで形成されているため、添加装置１０の効果を発揮しつつ、添加成分が混合された活水を安定的に配管２内の通水路１２に供給することができる。
【００３４】
（第２実施形態）図２は、本発明の第２実施形態を示している。
【００３５】
本実施形態にかかる添加装置１０Ａは、少なくとも１つの添加口１３を介して通水路１２に連通し、添加剤１１を収納する添加室１４Ｓと、添加室１４Ｓに連通して発泡剤１５を収納する発泡室１６と、を備えている。
【００３６】
本実施形態にあっても、添加室１４Ｓは有底筒状に形成されており、底部１４ａの近傍に添加口１３が設けられるとともに、上端の投入口１４ｂは蓋１４ｃによって着脱自在に密閉されている。また、発泡室１６は、添加室１４Ｓと同様に下端に底部１６ａを有する有底筒状に形成され、上端の投入口１６ｂが蓋１６ｃによって着脱自在に密閉されている。
【００３７】
そして、添加室１４Ｓと発泡室１６との連通は、それぞれの上端部どうし、つまり、添加室１４Ｓの添加剤１１を収納した部分よりも上方と、発泡室１６の発泡剤１５を収納した部分よりも上方と、が連通管１７によって相互に連通されている。
【００３８】
また、添加口１３から通水路１２の水が添加室１４Ｓ内に導入されて添加剤１１を浸漬するとともに、添加室１４Ｓ内の水が連通管１７を介して発泡室１６内に導入されて発泡剤１５を浸漬する。
【００３９】
そして、添加室１４Ｓに添加剤１１を投入するとともに、発泡室１６に発泡剤１５を投入することにより、添加剤１１が添加室１４Ｓ内の水に接触して溶解されるとともに、発泡剤１５が発泡室１６内の水に接触して溶解しつつ発泡する。発泡剤１５が発泡することで発泡室１６から添加室１４Ｓに圧力が導入され、導入した圧力で添加室１４Ｓ内で溶解した添加剤１１の成分が、添加口１３から通水路１２に押し出されるようになっている。
【００４０】
本実施形態にあっても水処理装置１Ａは、上記第１実施形態と同様に、内部が通水路１２となる配管２を備え、その配管２に添加装置１０Ａを取り付けることで構成されている。
【００４１】
以上の本実施形態によれば、添加室１４Ｓに添加剤１１を投入するとともに、発泡室１６に発泡剤１５を投入することにより、発泡剤１５が発泡して生じた圧力が発泡室１６から添加室１４Ｓに導入され、その導入した圧力で添加室１４Ｓ内で溶解した添加剤１１の成分を添加口１３から通水路１２に押し出すことができる。これにより、通水路１２の水の流れに頼ることなく、添加成分を効率よく通水路１２の水に混合させることができる。
【００４２】
また、本実施形態の水処理装置１Ａは、配管２に添加装置１０Ａを設けることで形成されているため、添加装置１０Ａの効果を発揮しつつ、添加成分が混合された活水を安定的に配管２内の通水路１２に供給することができる。
【００４３】
（第３実施形態）図３は、本発明の第３実施形態を示している。
【００４４】
本実施形態にかかる添加装置１０Ｂは、基本的に上記第２実施形態に示した添加装置１０Ａ（図２参照）と同様であって、添加剤１１を収納する添加室１４Ｓと、発泡剤１５を収納する発泡室１６と、を備え、添加室１４Ｓが添加口１３を介して通水路１２に連通されるとともに、添加室１４Ｓと発泡室１６とが連通管１７を介して相互に連通されている。
【００４５】
ここで、本実施形態が上記第２実施形態と主に異なる点は、発泡剤１５の収納部としての発泡室１６に、通水路１２に連通して、この通水路１２の水を導入する取水通路１８を設けたことにある。
【００４６】
取水通路１８は、配管２に形成した開口２ｂと、発泡室１６の底部１６ａに形成した開口１６ｄとを連通し、通水路１２の水を発泡室１６内に取り込むようになっている。このとき、取水通路１８の途中には、発泡室１６側から通水路１２方向への流れを遮断する逆止弁１９が設けられている。
【００４７】
また、本実施形態の水処理装置１Ｂは、上記第１実施形態と同様に、内部が通水路１２となる配管２を備え、その配管２に添加装置１０Ｂを取り付けることで形成されている。
【００４８】
以上の本実施形態によっても、上記第２実施形態に示した添加装置１０Ａと同様の作用、効果を奏することができる。
【００４９】
さらに、発泡室１６に取水通路１８を設けたので、この取水通路１８を介して通水路１２の水を発泡室１６に積極的に導入することができる。これにより、発泡剤１５の発泡を促進して、添加剤１１の成分を通水路１２に押し出す圧力をより高めることができる。なお、取水通路１８には逆止弁１９が設けられているので、発泡室１６内で発泡剤１５が発泡した圧力が、取水通路１８を介して通水路１２に逃げるのを阻止することができる。
【００５０】
また、本実施形態の水処理装置１Ｂは、配管２に添加装置１０Ｂを設けることで形成されているため、添加装置１０Ｂの効果を発揮しつつ、添加成分が混合された活水を安定的に配管２内の通水路１２に供給することができる。
【００５１】
図４は、第３実施形態の変形例を示している。
【００５２】
本変形例にかかる添加装置１０Ｃは、基本的に上記第１実施形態に示した添加装置１０（図１参照）と同様であって、添加剤１１および発泡剤１５を共に収納する添加室１４を備え、この添加室１４Ｓが添加口１３を介して通水路１２に連通されている。
【００５３】
ここで、本変形例が上記第１実施形態と主に異なる点は、発泡剤１５の収納部としての添加室１４に、通水路１２に連通して通水路１２の水を導入する取水通路１８Ａを設けたことにある。
【００５４】
取水通路１８Ａは、配管２に形成された開口２ｂと、添加室１４の上部側面に形成された開口１４ｅとを連通し、通水路１２の水を添加室１４内に取り込むようになっている。このとき、取水通路１８Ａの途中には、添加室１４側から通水路１２方向への流れを遮断する逆止弁１９Ａが設けられている。
【００５５】
また、本実施形態の水処理装置１Ｃは、上記第１実施形態と同様に、内部が通水路１２となる配管２を備え、その配管２に添加装置１０Ｃを取り付けることで形成されている。
【００５６】
以上の本変形例によっても、上記第１実施形態に示した添加装置１０と同様の作用、効果を奏することができる。
【００５７】
さらに、添加室１４に取水通路１８Ａを設けたので、この取水通路１８Ａを介して通水路１２の水を添加室１４に積極的に導入することができる。これにより、発泡剤１５の発泡を促進して、添加剤１１の成分を通水路１２に押し出す圧力をより高めることができる。また、本変形例にあっても、取水通路１８Ａに逆止弁１９Ａが設けられているので、添加室１４内で発泡剤１５が発泡した圧力が、取水通路１８Ａを介して通水路１２に逃げるのを阻止することができる。
【００５８】
また、本変形例の水処理装置１Ｃは、配管２に添加装置１０Ｃを設けることで形成されているため、添加装置１０Ｃの効果を発揮しつつ、添加成分が混合された活水を安定的に配管２内の通水路１２に供給することができる。
【００５９】
（第４実施形態）図５は、本発明の第４実施形態を示している。
【００６０】
本実施形態にかかる添加装置１０Ｄは、基本的に上記第３実施形態に示した添加装置１０Ｂ（図３参照）と同様であって、添加剤１１を収納する添加室１４Ｓと、発泡剤１５を収納する発泡室１６と、を備え、添加室１４Ｓが添加口１３を介して通水路１２に連通されるとともに、添加室１４Ｓと発泡室１６とが連通管１７を介して相互に連通され、かつ、発泡室１６に取水通路１８が設けられている。
【００６１】
ここで、本実施形態が上記第３実施形態と主に異なる点は、添加口１３に、添加室１４Ｓと通水路１２との間を開閉制御する第１の開閉制御弁２０を設けたことにある。
【００６２】
また、本実施形態の水処理装置１Ｄは、上記第１実施形態と同様に、内部が通水路１２となる配管２を備え、その配管２に添加装置１０Ｄを取り付けることで形成されている。
【００６３】
以上の本実施形態によっても、上記第３実施形態に示した添加装置１０Ｂと同様の作用、効果を奏することができる。
【００６４】
さらに、添加口１３に第１の開閉制御弁２０を設け、添加室１４Ｓと通水路１２との間を開閉制御できるようにしたので、第１の開閉制御弁２０を操作することにより、必要なときだけ添加剤１１を通水路１２に添加できるようになり、添加量を必要に応じて制御することができるようになる。
【００６５】
また、本実施形態の水処理装置１Ｄは、配管２に添加装置１０Ｄを設けることで形成されているため、添加装置１０Ｄの効果を発揮しつつ、添加成分が混合された活水を安定的に配管２内の通水路１２に供給することができる。
【００６６】
なお、本実施形態では、上記第３実施形態に第１の開閉制御弁２０を設けた構造を例示したが、これ限ることなく、上記第２実施形態（図２参照）に第１の開閉制御弁２０を設けた構造とすることも可能である。
【００６７】
図６は、第４実施形態の変形例を示している。
【００６８】
本変形例にかかる添加装置１０Ｅは、基本的に上記第３実施形態の変形例に示す添加装置１０Ｃ（図４参照）と同様であって、添加剤１１および発泡剤１５を共に収納する添加室１４を備え、この添加室１４Ｓが添加口１３を介して通水路１２に連通されるとともに、添加室１４に取水通路１８Ａが設けられている。
【００６９】
ここで、本変形例が上記第３実施形態の変形例と主に異なる点は、添加口１３に、添加室１４と通水路１２との間を開閉制御する第１の開閉制御弁２０Ａを設けたことにある。
【００７０】
また、本実施形態の水処理装置１Ｅは、上記第１実施形態と同様に、内部が通水路１２となる配管２を備え、その配管２に添加装置１０Ｅを取り付けることで形成されている。
【００７１】
以上の本変形例によっても、上記第３実施形態の変形例に示す添加装置１０Ｃと同様の作用、効果を奏することができる。
【００７２】
さらに、添加口１３に第１の開閉制御弁２０Ａを設けて、添加室１４と通水路１２との間を開閉制御できるようにしたので、必要なときだけ添加剤１１を通水路１２に添加できるようになり、添加量を必要に応じて制御することができるようになる。
【００７３】
また、本実施形態の水処理装置１Ｅは、配管２に添加装置１０Ｅを設けることで形成されているため、添加装置１０Ｅの効果を発揮しつつ、添加成分が混合された活水を安定的に配管２内の通水路１２に供給することができる。
【００７４】
なお、本変形例では、上記第３実施形態の変形例に第１の開閉制御弁２０Ａを設けた構造を例示したが、これに限ることなく、上記第１実施形態（図１参照）にあっても第１の開閉制御弁２０Ａを設けた構造とすることも可能である。
【００７５】
（第５実施形態）図７は、本発明の第５実施形態を示している。
【００７６】
本実施形態にかかる添加装置１０Ｆは、基本的に上記第３実施形態に示した添加装置１０Ｂ（図３参照）と同様であって、添加剤１１を収納する添加室１４Ｓと、発泡剤１５を収納する発泡室１６と、を備え、添加室１４Ｓが添加口１３を介して通水路１２に連通されるとともに、添加室１４Ｓと発泡室１６とが連通管１７を介して相互に連通され、かつ、発泡室１６に取水通路１８が設けられている。
【００７７】
ここで、本実施形態が上記第３実施形態と主に異なる点は、添加口１３に、通水路１２の水流によって負圧を発生する負圧発生部２１を設けるとともに、添加室１４Ｓと発泡室１６との連通部となる連通管１７に、これら添加室１４Ｓと発泡室１６との間を開閉制御する第２の開閉制御弁２２を設けたことにある。
【００７８】
負圧発生部２１は、ベンチュリ構造となっており、添加口１３を通水路１２内に延長し、その先端部を水流の下流方向に沿って折曲し、折曲した先端に開口１３ａを配置することで構成されている。そして、通水路１２の水流によって下流方向に面した開口１３ａに負圧が発生することになり、その負圧によって添加室１４Ｓ内の水と共に添加剤１１の溶解した成分が通水路１２内に吸引される。
【００７９】
したがって、通水路１２の水流が十分にあるときは、負圧発生部２１による添加室１４Ｓ内の添加成分の吸引が十分であるため、発泡剤１５による圧力を発泡室１６から添加室１４Ｓ内に導入する必要がなくなる。そのため、第２の開閉制御弁２２を閉弁しておくことができる。
【００８０】
また、本実施形態では、添加室１４Ｓの上部に逆止弁２３を設けた大気導入管２４が接続されており、第２の開閉制御弁２２を閉弁した際には、大気導入管２４から大気圧を添加室１４Ｓに導入して、負圧発生部２１により添加室１４Ｓ内が負圧になるのを緩和するようにしている。したがって、逆止弁２３および大気導入管２４は、バキュームブレーカーとして機能し、逆止弁２３は添加室１４Ｓ内に流入する流れを許容する一方、添加室１４Ｓから排出される圧力を遮断するようになっている。なお、大気導入管２４の先端は通水路１２に接続してもよく、この場合は、添加室１４Ｓ内に円滑に水を補給できるようになる。
【００８１】
また、本実施形態の水処理装置１Ｆは、上記第１実施形態と同様に、内部が通水路１２となる配管２を備え、その配管２に添加装置１０Ｆを取り付けることで形成されている。
【００８２】
以上の本実施形態によっても、上記第３実施形態に示した添加装置１０Ｂと同様の作用、効果を奏することができる。
【００８３】
さらに、添加口１３に設けた負圧発生部２１によって添加口１３内に負圧を発生し、その負圧で添加室１４Ｓ内で溶解した添加剤１１の成分を通水路１２内に吸引するようにしたため、通水路１２の水流が十分にあるときは、添加室１４Ｓと発泡室１６との間に設けた第２の開閉制御弁２２を閉弁した場合であっても、負圧発生部２１によって添加成分を効率よく通水路１２の水に混合させることができ、発泡室１６内の発泡剤１５の消耗を抑制できるようになる。
【００８４】
そして、通水路１２の水流が不足して負圧発生部２１に十分な負圧を発生することができない場合には、第２の開閉制御弁２２を開弁して、発泡室１６内の発泡圧力を添加室１４に導入することにより、添加室１４内で溶解した添加剤１１の成分を通水路１２に供給できる。
【００８５】
また、本実施形態の水処理装置１Ｆは、配管２に添加装置１０Ｆを設けることで形成されているため、添加装置１０Ｆの効果を発揮しつつ、添加成分が混合された活水を安定的に配管２内の通水路１２に供給することができる。
【００８６】
なお、本実施形態では、添加口１３に負圧発生部２１を設けるとともに、添加室１４Ｓと発泡室１６との連通部に第２の開閉制御弁２２を設ける構造を、上記第３実施形態に適用した場合を示したが、これに限ることなく、上記第２実施形態（図２参照）および第４実施形態（図５参照）に、添加口１３に負圧発生部２１を設けるとともに、添加室１４Ｓと発泡室１６との連通部に第２の開閉制御弁２２を設ける構造を適用することも可能である。第４実施形態に適用した場合には、添加口１３に第１の開閉制御弁２０が設けられることとなるが、この第１の開閉制御弁２０を開弁したときに本実施形態の効果を発揮することができる。
【００８７】
（第６実施形態）図８は、本発明の第６実施形態を示している。
【００８８】
本実施形態にかかる添加装置１０Ｇは、基本的に上記第４実施形態に示した添加装置１０Ｄ（図５参照）と同様に、添加剤１１を収納する添加室１４Ｓと、発泡剤１５を収納する発泡室１６と、を備え、添加室１４Ｓが添加口１３を介して通水路１２に連通されるとともに、添加室１４Ｓと発泡室１６とが連通管１７を介して相互に連通され、かつ、発泡室１６に取水通路１８が設けられるとともに、添加口１３に第１の開閉制御弁２０が設けられている。
【００８９】
ここで、本実施形態が上記第４実施形態と主に異なる点は、発泡剤１５の収納部としての発泡室１６に、圧力検知部としての圧力計２４Ａを設けたことにある。圧力計２４Ａは、圧力引込み管２４Ａｐを介して発泡室１６の上部の圧力を検出するようになっている。
【００９０】
また、本実施形態の水処理装置１Ｇは、上記第１実施形態と同様に、内部が通水路１２となる配管２を備え、その配管２に添加装置１０Ｇを取り付けることで形成されている。
【００９１】
以上の本実施形態によっても、上記第４実施形態に示した添加装置１０Ｄと同様の作用、効果を奏することができる。
【００９２】
さらに、発泡室１６に圧力計２４Ａを設けたので、発泡剤１５の消耗による圧力低下をその圧力計２４Ａによって検出できる。これにより、発泡剤１５を追加するタイミングを逃すことなく、常に添加剤１１の成分を通水路１２に安定して供給することができる。なお、圧力検知部は圧力計２４Ａに限ることなく、圧力を検知できる手段であればよい。
【００９３】
また、本実施形態の水処理装置１Ｇは、配管２に添加装置１０Ｇを設けることで形成されているため、添加装置１０Ｇの効果を発揮しつつ、添加成分が混合された活水を安定的に配管２内の通水路１２に供給することができる。
【００９４】
なお、本実施形態では、発泡室１６に圧力検知部を設けた構造を上記第４実施形態に適用した場合を示したが、これに限ることなく、上記第２実施形態（図２参照）、第３実施形態（図３参照）および第５実施形態（図７参照）にあっても、発泡室１６に圧力検知部を設けた構造を適用することができる。
【００９５】
図９は、第６実施形態の変形例を示している。
【００９６】
本変形例にかかる添加装置１０Ｈは、基本的に上記第４実施形態の変形例に示す添加装置１０Ｅ（図６参照）と同様に、添加剤１１および発泡剤１５を共に収納する添加室１４を備え、この添加室１４が添加口１３を介して通水路１２に連通されるとともに、添加室１４に取水通路１８Ａが設けられ、かつ、添加口１３に第１の開閉制御弁２０Ａが設けられている。
【００９７】
ここで、本変形例が上記第４実施形態の変形例と主に異なる点は、発泡剤１５の収納部としての添加室１４に、圧力検知部としての圧力計２４Ａを設けたことにある。圧力計２４Ａは、圧力引込み管２４Ａｐを介して添加室１４の上部の圧力を検出するようになっている。
【００９８】
また、本実施形態の水処理装置１Ｈは、上記第１実施形態と同様に、内部が通水路１２となる配管２を備え、その配管２に添加装置１０Ｈを取り付けることで形成されている。
【００９９】
以上の本変形例によっても、上記第４実施形態の変形例に示した添加装置１０Ｅ（図６参照）と同様の作用、効果を奏することができる。
【０１００】
さらに、発泡剤１５を収納した添加室１４に圧力計２４Ａを設けたので、発泡剤１５の消耗による圧力低下をその圧力計２４Ａによって検出できる。これにより、発泡剤１５を追加するタイミングを逃すことなく、常に添加剤１１の成分を通水路１２に安定して供給できる。
【０１０１】
また、本実施形態の水処理装置１Ｈは、配管２に添加装置１０Ｈを設けることで形成されているため、添加装置１０Ｈの効果を発揮しつつ、添加成分が混合された活水を安定的に配管２内の通水路１２に供給することができる。
【０１０２】
なお、本実施形態では、添加室１４に圧力検知部を設けた構造を上記第４実施形態の変形例に適用した場合を示したが、これに限ることなく、上記第１実施形態（図１参照）および第３実施形態の変形例（図４参照）にあっても、添加室１４に圧力検知部を設けた構造を適用することができる。
【０１０３】
（第７実施形態）図１０は、本発明の第７実施形態を示している。
【０１０４】
本実施形態にかかる添加装置１０Ｉでは、添加剤１１と発泡剤１５とを個別に用いるのではなく、水処理用の添加成分と発泡成分とを一体に成形した発泡性添加剤２５を用いている。
【０１０５】
本実施形態では、この発泡性添加剤２５として、硫酸カルシウム剤および硫酸マグネシウム剤に炭酸カルシウムおよびクエン酸を含有させて固形状にしたものを用いている。
【０１０６】
また、本実施形態では、上記第６実施形態の変形例に示した添加装置１０Ｈ（図９参照）の添加室１４内に、添加剤１１および発泡剤１５の代わりに発泡性添加剤２５を収納した構成を例示している。
【０１０７】
すなわち、添加装置１０Ｉは、発泡性添加剤２５を収納する添加室１４を備え、この添加室１４が添加口１３を介して通水路１２に連通されており、発泡性添加剤２５の発泡成分が添加室１４内で発泡した圧力で、添加室１４内で溶解した発泡性添加剤２５の添加成分を添加口１３から通水路１２に押し出すようになっている。また、添加室１４に取水通路１８Ａが設けられるとともに、添加口１３に第１の開閉制御弁２０Ａが設けられ、かつ、添加室１４に圧力計２４Ａが設けられた構造となっている。
【０１０８】
また、本実施形態の水処理装置１Ｉは、上記第１実施形態と同様に、内部が通水路１２となる配管２を備え、その配管２に添加装置１０Ｉを取り付けることで形成されている。
【０１０９】
以上の本実施形態によれば、添加室１４に、水処理用の添加成分と発泡成分とを一体に成形した発泡性添加剤２５を投入することにより、発泡成分が添加室１４内で発泡した圧力で、添加室１４内で溶解した添加成分を添加口１３から通水路１２に押し出すことができる。これにより、通水路１２の水の流れに頼ることなく、添加成分を効率よく通水路１２の水に混合させることができる。
【０１１０】
このとき、添加室１４に投入される発泡性添加剤２５は、添加成分と発泡成分とを一体に成形したものであるため、添加成分と発泡成分とがほぼ同期して消耗される。これにより、発泡成分の消耗を検知、たとえば、圧力計２４Ａで添加室１４内の圧力を検知することで、添加成分の消耗を簡単に検出でき、発泡性添加剤２５を滞りなく追加することができる。
【０１１１】
また、本実施形態の水処理装置１Ｉによれば、配管２に添加装置１０Ｉを設けることで形成されているため、添加装置１０Ｉの効果を発揮しつつ、添加成分が混合された活水を安定的に配管２内の通水路１２に供給することができる。
【０１１２】
なお、本実施形態では、上記第６実施形態の変形例（図９参照）に発泡性添加剤２５を用いた構造を適用した場合を示したが、これに限ることなく、上記第１実施形態（図１参照）、第３実施形態の変形例（図４参照）および第４実施形態の変形例（図６参照）にあっても、発泡性添加剤２５を用いた構造を適用することができる。
【０１１３】
以上、本発明の好適な実施形態について説明したが、本発明は上記実施形態には限定されず、種々の変形が可能である。
【０１１４】
たとえば、上記第１〜第６実施形態およびその変形例では、固形化した添加剤を溶解させて添加成分を通水路に供給させるものを例示したが、液体の添加剤を用いることも可能である。
【０１１５】
また、添加剤と発泡剤との間を移動可能な仕切板で仕切るようにしてもよい。
【符号の説明】
【０１１６】
１、１Ａ、１Ｂ、１Ｃ、１Ｄ、１Ｅ、１Ｆ、１Ｇ、１Ｈ、１Ｉ  水処理装置
２  配管
１０、１０Ａ、１０Ｂ、１０Ｃ、１０Ｄ、１０Ｅ、１０Ｆ、１０Ｇ、１０Ｈ、１０Ｉ  添加装置
１１  添加剤（水処理用添加剤）
１２  通水路
１３  添加口
１４  添加室（発泡剤の収納部）
１４Ｓ  添加室
１５  発泡剤
１６  発泡室（発泡剤の収納部）
１８、１８Ａ  取水通路
２０、２０Ａ  第１の開閉制御弁
２１  負圧発生部
２２  第２の開閉制御弁
２４Ａ  圧力計（圧力検知部）
２５  発泡性添加剤
【図１】
2010274153.tif 000003
【図２】
2010274153.tif 000004
【図３】
2010274153.tif 000005
【図４】
2010274153.tif 000006
【図５】
2010274153.tif 000007
【図６】
2010274153.tif 000008
【図７】
2010274153.tif 000009
【図８】
2010274153.tif 000010
【図９】
2010274153.tif 000011
【図１０】
2010274153.tif 000012